(57)【要約】【課題】  ＥＬ素子より構成される照明装置において、照明対象上での照度が高い照明装置および当該照明装置を用いた原稿読取装置を提供する。【解決手段】  一対の光源５を有する照明装置４であって、光源５は、それぞれ、ＥＬ素子７と、ＥＬ素子７の光出射面１０側に設けられた第１反射部材８と第２反射部材９とを有する。第１反射部材８と第２反射部材９とは、それぞれ一辺がＥＬ素子７の光出射面１０上に、互いの反射面が対向するように配置されている。そして、第１反射部材８の一辺に対向する他辺と、光出射面１０を含む平面との最短距離が、第２反射部材９の一辺に対向する他辺と、光出射面１０を含む平面との最短距離よりも短い。さらに、一対の光源５を構成するＥＬ素子７の光出射面１０は互いに対向している。【選択図】      図１
2007134288.tif 000002
【特許請求の範囲】
【請求項１】
一対の光源を有する照明装置であって、
前記光源は、それぞれ、エレクトロルミネッセンス素子と、当該エレクトロルミネッセンス素子の光出射面側に設けられた第１反射部材と第２反射部材とを有し、
当該第１反射部材と第２反射部材は、それぞれ一辺が前記エレクトロルミネッセンス素子の光出射面上に、互いの反射面が対向するように配置され、前記第１反射部材の前記一辺に対向する他辺と、前記光出射面を含む平面との最短距離が、前記第２反射部材の前記一辺に対向する他辺と、前記光出射面を含む平面との最短距離よりも短く、
前記一対の光源を構成するエレクトロルミネッセンス素子の光出射面は互いに対向している
ことを特徴とする照明装置。
【請求項２】
前記エレクトロルミネッセンス素子は、線状に形成されており、前記第１反射部材及び前記第２反射部材は前記エレクトロルミネッセンス素子の長手方向に沿って配置されている請求項１に記載の照明装置。
【請求項３】
前記第１反射部材及び前記第２反射部材の少なくとも一方の反射面が湾曲形状である請求項１又は請求項２に記載の照明装置。
【請求項４】
前記第１反射部材及び前記第２反射部材の反射面は、入射した光を正反射する正反射面である請求項１から請求項３のいずれか１項に記載の照明装置。
【請求項５】
前記エレクトロルミネッセンス素子の光出射面側に光学フィルムが配置されている請求項１から請求項４のいずれか１項に記載の照明装置。
【請求項６】
前記エレクトロルミネッセンス素子は、有機エレクトロルミネッセンス素子である請求項１から請求項５のいずれか１項に記載の照明装置。
【請求項７】
照明装置、センサ、及び原稿を載置する透明板を有し、前記照明装置が前記透明板に沿って走査され、前記原稿で反射された光を前記センサで読み取る原稿読取装置であって、
前記照明装置は、前記センサに対して対称に配置された一対の光源を有し、
前記光源は、それぞれ、エレクトロルミネッセンス素子と、当該エレクトロルミネッセンス素子の光出射面側に設けられた第１反射部材と第２反射部材とを有し、
前記エレクトロルミネッセンス素子は、線状に形成されており、
当該第１反射部材と第２反射部材は、それぞれ一辺が前記エレクトロルミネッセンス素子の光出射面上に、互いの反射面が対向するように前記エレクトロルミネッセンス素子の長手方向に沿って配置され、前記第１反射部材の前記一辺に対向する他辺と、前記光出射面を含む平面との最短距離が、前記第２反射部材の前記一辺に対向する他辺と、前記光出射面を含む平面との最短距離よりも短く、
前記第１反射部材の前記一辺と、前記透明板の前記原稿を載置する側の面を含む平面との最短距離が、前記第２反射部材の前記一辺と、前記透明板の前記原稿を載置する側の面を含む平面との最短距離よりも短く、前記一対の光源を構成するエレクトロルミネッセンス素子の光出射面は互いに対向している
ことを特徴とする原稿読取装置。
【請求項８】
前記透明板の前記原稿を載置する側の面と、前記エレクトロルミネッセンス素子とが垂直になるように配置されている請求項７に記載の原稿読取装置。
【請求項９】
前記第１反射部材及び前記第２反射部材の少なくとも一方の反射面が湾曲形状である請求項７又は請求項８に記載の原稿読取装置。
【請求項１０】
前記第１反射部材及び前記第２反射部材の反射面は、入射した光を正反射する正反射面である請求項７から請求項９のいずれか１項に記載の原稿読取装置。
【請求項１１】
前記エレクトロルミネッセンス素子の光出射面側に光学フィルムが設けられている請求項７から請求項１０のいずれか１項に記載の原稿読取装置。
【請求項１２】
前記エレクトロルミネッセンス素子は、有機エレクトロルミネッセンス素子である請求項７から請求項１１のいずれか１項に記載の原稿読取装置。
【発明の詳細な説明】
【技術分野】
【０００１】
本発明は、照明装置及び当該照明装置を用いた原稿読取装置に関する。
【背景技術】
【０００２】
ファクシミリ、コピー、スキャナ等は、原稿に記載されている情報を読み取る原稿読取装置を有する。原稿読取装置においては、光源からの光を原稿に照射し、原稿で反射される光をセンサで受光する。そして、受光した光の強弱により原稿に記載されている情報を読み取る。
【０００３】
近年、ファクシミリ等の装置にも小型化の要求が強まり、ファクシミリ等に用いられる原稿読取装置も小型化する必要性が生じてきた。同時に、原稿を読み取る時間の短縮や読取画像の向上の要求も強く、原稿読取装置に用いられる光源からの光を強くする必要もある。
【０００４】
そこで、例えば特許文献１には、原稿読取装置の光源としてＥＬ素子を用いたものが提案されている。特許文献１に記載の画像読取装置は、照明光源として長尺のＥＬ（エレクトロルミネッセンス）素子を用いるとともに、このＥＬ素子からの光をその幅方向に斜めに導いて読取部分に集光させるためのライトガイドとして多数の長尺の微小プリズムを用い、ＥＬ素子上にプリズムアレイを重ねたものをガラス板の直下にこれと平行に配設している。このような構成によりガラス板と読取ユニットとの間における照明光源の設置スペースが小さく済み（装置の薄型化および小型化を容易にする。）、また原稿の読取部分を均一かつ安定に照明することができる（読取画質が向上する）原稿読取装置を提供している。
【特許文献１】特開平６−２１７０８３号公報
【発明の開示】
【発明が解決しようとする課題】
【０００５】
しかし、ＥＬ素子からの光を集光するためのプリズムアレイ等の光学部材を用いると、確かに集光方向の輝度を向上させることができるが、照明対象である読取原稿上での照度は逆に低下する場合もある。これは、ＥＬ素子からの光が光学部材を透過する間に減衰してしまうからである。
【０００６】
本発明は、上記のような問題点に鑑みなされたものであって、その目的は、エレクトロルミネッセンス素子より構成される照明装置において、照明対象上での照度が高い照明装置および当該照明装置を用いた原稿読取装置を提供することにある。
【課題を解決するための手段】
【０００７】
上記の目的を達成するために本願発明者らは鋭意研究、開発を遂行した結果、一対の光源を有する照明装置において、光源としてエレクトロルミネッセンス素子（以下、適宜、ＥＬ素子と表記する。）を用い、ＥＬ素子の光出射面側に第１反射部材及び第２反射部材を有し、それぞれのＥＬ素子の光出射面を互いに対向させることを想到するに至り、本願発明を完成させた。
【０００８】
即ち、本願発明は、一対の光源を有する照明装置である。光源は、それぞれ、ＥＬ素子と、ＥＬ素子の光出射面側に設けられた第１反射部材と第２反射部材とを有し、第１反射部材と第２反射部材は、それぞれ一辺がＥＬ素子の光出射面上に、互いの反射面が対向するように配置されている。第１反射部材の一辺に対向する他辺と、光出射面を含む平面との最短距離が、第２反射部材の一辺に対向する他辺と、光出射面を含む平面との最短距離よりも短く、一対の光源を構成するＥＬ素子の光出射面は互いに対向している。
【０００９】
ＥＬ素子は、線状に形成されており、第１反射部材及び第２反射部材はＥＬ素子の長手方向に沿って配置されていることが好ましい。
【００１０】
第１反射部材及び第２反射部材の少なくとも一方の反射面が湾曲形状であってもよい。
【００１１】
第１反射部材及び第２反射部材の反射面は、入射した光を正反射する正反射面であることが好ましい。
【００１２】
ＥＬ素子の光出射面側に光学フィルムが配置されていることがさらに好ましい。
【００１３】
ＥＬ素子は、有機ＥＬ素子であることが望ましい。
【００１４】
本願の別の発明は、照明装置、センサ、及び原稿を載置する透明板を有し、照明装置が透明板に沿って走査され、原稿で反射された光をセンサで読み取る原稿読取装置である。照明装置は、センサに関して対称に配置された一対の光源を有し、光源は、それぞれ、ＥＬ素子と、ＥＬ素子の光出射面側に設けられた第１反射部材と第２反射部材とを有する。そして、ＥＬ素子は、線状に形成されており、第１反射部材と第２反射部材は、それぞれ一辺がＥＬ素子の光出射面上に、互いの反射面が対向するようにＥＬ素子の長手方向に沿って配置されている。さらに、第１反射部材の一辺に対向する他辺と、光出射面を含む平面との最短距離が、第２反射部材の一辺に対向する他辺と、光出射面を含む平面との最短距離よりも短い。第１反射部材の一辺と、透明板の原稿を載置する側の面を含む平面との最短距離が、前記第２反射部材の一辺と、透明板の原稿を載置する側の面を含む平面との最短距離よりも短い。一対の光源を構成するＥＬ素子の光出射面は互いに対向している。
【００１５】
透明板の前記原稿を載置する側の面とＥＬ素子とが垂直になるように配置されていてもよい。
【００１６】
第１反射部材及び第２反射部材の少なくとも一方の反射面が湾曲形状であってもよい。
【００１７】
第１反射部材及び第２反射部材の反射面は、入射した光を正反射する正反射面であることが好ましい。
【００１８】
ＥＬ素子の光出射面側に光学フィルムが設けられていることがさらに好ましい。
【００１９】
ＥＬ素子は、有機ＥＬ素子であることが望ましい。
【発明の効果】
【００２０】
本発明によれば、エレクトロルミネッセンス素子より構成される照明装置において、照明対象上での照度が高い照明装置および当該照明装置を用いた原稿読取装置を提供することができる。
【発明を実施するための最良の形態】
【００２１】
以下、本発明の原稿読取装置及び照明装置をスキャナに具体化した実施形態を図１から図３に従って、説明する。図１は、スキャナの模式図であり、図２は、光源の模式平面図、図３は、図２におけるＡ−Ａ線における模式断面図である。
【００２２】
図１に示すように、原稿読取装置としてのスキャナ１は透明板であるガラス板２、ガラス板２の原稿３が載置される側とは反対側に原稿３を照明するための一対の光源５を有する照明装置４及び照明装置４により照明された原稿３の読取対象部Ｒから反射された光を受光するセンサ６を有する。センサ６は、照明装置４により照明された読取対象部Ｒからの反射光を受光し、受光される光の強弱によって照明装置４により照明された読取対象部Ｒに記載されている情報を読み取る。この実施形態では、照明装置４とセンサ６とが一体的にガラス板２に沿って走査（図１に示すＤ方向）することにより原稿３の全体を読み取る。
【００２３】
光源５は、有機ＥＬ素子７と、有機ＥＬ素子７の光出射面１０側に設けられた第１反射部材８及び第２反射部材９を有する。図１に示すように、第１反射部材８と第２反射部材９とは、それぞれ一辺が有機ＥＬ素子７の光出射面１０上に、互いの反射面が対向するように所定の間隔で配置されている。第１反射部材８の前記一辺に対向する他辺と、有機ＥＬ素子７の光出射面１０を含む平面との最短距離が、第２反射部材９の前記一辺に対向する他辺と、有機ＥＬ素子７の光出射面１０を含む平面との最短距離よりも短く形成されている。さらに、第１反射部材８の前記一辺と、ガラス板２の原稿３を載置する側の面を含む平面との最短距離が、第２反射部材９の前記一辺と、ガラス板２の原稿３を載置する側の面を含む平面との最短距離よりも短く形成されている。即ち、この実施形態では、第１反射部材８の前記一辺は、ガラス板２の原稿３を載置する側の面を含む平面と、第２反射部材９の前記一辺との間に配置されていることになる。
【００２４】
照明装置４は、光源５を一対有し、光源５を構成する有機ＥＬ素子７の光出射面１０が互いに対向するように配置されている。即ち、照明装置４は、センサ６に関して対称に２つの光源５が設けられており、ガラス板２の原稿３を載置する側の面と、有機ＥＬ素子７とが垂直になるように配置されている。
【００２５】
図２に示すように、有機ＥＬ素子７は矩形状で長辺が短辺と比べて著しく長い線状形状であり、第１反射部材８及び第２反射部材９は、それぞれ有機ＥＬ素子７の発光部Ｂの両長辺に沿って互いの反射面が対向するように配置されている。この実施形態では、有機ＥＬ素子７の発光部Ｂの一方の長辺に沿って有機ＥＬ素子７に電力を供給する電極端子１１、１２を有している。
【００２６】
図３に示すように、有機ＥＬ素子７は、基板１３、第１電極１４、発光層１５、第２電極１６及び保護部１７を備えている。なお、この実施形態では、基板１３の第１電極１４、発光層１５、第２電極１６及び保護部１７が形成されている側とは反対側の面（光出射面１０）から光が出射されるボトムエミッションタイプに形成されている。
【００２７】
基板１３は有機ＥＬ素子７を支持するための板状の部材であり、取り出す光に対して高い透過率を示す透明基板が用いられる。例えば、可視光領域で高い透過率を示すガラス基板や、透明なアクリル樹脂、ポリエチレンテレフタレート樹脂、アクリル樹脂から構成される透明樹脂基板等を用いることができる。
【００２８】
第１電極１４は導電性の金属酸化物系材料で形成されており、例えば、ＩＴＯ（インジウム錫酸化物）や、ＩＺＯ（インジウム亜鉛酸化物）、ＺｎＯ（酸化亜鉛）、ＳｎＯ２（酸化錫）等を用いることができる。
【００２９】
発光層１５としては、Ａｌｑ３等の発光材料を用いることで、白色発光を行なう構成のもの等を用いることができる。白色を示す構成としては、発光層を２層や３層に積層させる積層型や、１層の発光層に異なる発光材料を混合させる混合型、１層を面内方向のエリアに分けて異なる発光層を塗り分ける塗り分け型等が挙げられる。
【００３０】
また、正孔注入層、正孔輸送層、電子注入層、電子輸送層、正孔ブロック層、電子ブロック層、バッファ層等の機能層を適宜組み合わせることもできる。
【００３１】
第２電極１６には、例えば、アルミニウム、金、銀、銅、クロム等の金属やこれらの合金である少なくとも可視光に対して反射性を有する反射電極を用いることができる。
【００３２】
保護部１７は、第２電極１６より外側に発光層１５を酸素及び水分から保護するために設けられる。保護部１７としては、パッシベーション膜や封止缶、又はそれらの組み合わせ等で構成される。前記パッシベーション膜としては、酸化珪素、窒化珪素、酸窒化珪素等の無機化合物や、樹脂膜等の有機化合物膜等を採用することができる。
【００３３】
第１電極１４、発光層１５、第２電極１６及び保護部１７は、真空蒸着法、スパッタ法等の公知の薄膜形成法を適宜使用することができる。
【００３４】
なお、第１電極１４の一部が保護部１７の外部に延出しており、第１電極１４の保護部１７の外側の部分が一方の電極端子１２を構成している。この有機ＥＬ素子７において、第１電極１４と第２電極１６との間に形成される発光層１５部分が発光部Ｂとなる。
【００３５】
有機ＥＬ素子７の光出射面１０側には、光学フィルムとしての拡散フィルム１８が設けられている。拡散フィルム１８としては、光学フィルムがない場合には基板１３の外に取り出せない光を取出せるものであればどのようなものでも使用することができ、例えば、基板１３の屈折率とほぼ同じ屈折率をもつ母体中に、これらとは屈折率の異なる微小なビーズを散在させて形成されたもの等を使用することができる。
【００３６】
なお、光学フィルムは、拡散フィルムに限らず、微小な円錐や角錐等が平面上にマトリクス状に並べられている光学フィルムを使用してもよい。
【００３７】
第１反射部材８及び第２反射部材９は、有機ＥＬ素子７から発せられた光を反射し、原稿３に向けて反射させるものであり、第１反射部材８及び第２反射部材９の反射面は、入射した光を正反射する正反射面であることが好ましい。第１反射部材８及び第２反射部材９は、入射した光に対して高い反射率を有するものが使用され、例えば、アルミニウム、銀等が使用できる。
【００３８】
第１反射部材８及び第２反射部材９と、有機ＥＬ素子７の光出射面１０を含む平面の垂線（図１における一点鎖線）とのなす角θ１、θ２又は、第１反射部材８及び第２反射部材９の前記他辺と、有機ＥＬ素子７の光出射面１０を含む平面からの最短距離は、原稿３の読取対象部Ｒの照度が最大となるように調整される。但し、第１反射部材８の前記他辺と、有機ＥＬ素子７の光出射面１０を含む平面との最短距離が、第２反射部材９の前記他辺と、有機ＥＬ素子７の光出射面１０を含む平面との最短距離よりも短い必要がある。
【００３９】
センサ６は、原稿３で反射した光の強弱を検知するためのもので、公知のイメージセンサを用いることができる。必要に応じて、原稿３とセンサ６との間に、反射した光を集光するレンズ等を設けてもよい。
【００４０】
このように構成されたスキャナ１の動作を説明する。
【００４１】
有機ＥＬ素子７の両電極端子１１、１２間に直流電圧を印加すると、発光層１５において、ホールと電子が再結合し、発光層１５から光が発せられる。この光のうち一部は直接基板１３に入射し、残りの光の一部は第２電極１６で反射された後、拡散フィルム１８に入射する。拡散フィルム１８に入射した光は拡散フィルム１８により拡散され外部に出射される。
【００４２】
拡散フィルム１８から出射された光の一部は、第２反射部材９によって反射され、原稿３の読取対象部Ｒに到達するか、又は、第１反射部材８及び第２反射部材９との間で１回又は複数回反射を繰り返し、第２反射部材９で反射された光が原稿３の読取対象部Ｒに到達する。しかし、有機ＥＬ素子７の光出射特性は等方性であり、さらに拡散フィルム１８により拡散されているため第１反射部材８及び第２反射部材９で反射されずに対向する有機ＥＬ素子７に到達する光、又は、第１反射部材８又は第２反射部材９の少なくとも一方で反射された光が原稿３の読取対象部Ｒに到達せずに対向する有機ＥＬ素子７に到達する光が存在する。これらの光の一部も対向する有機ＥＬ素子７の第２電極１６、第１反射部材８、又は、第２反射部材９によって反射され、原稿３の読取対象部Ｒに到達することになる。また、対向する有機ＥＬ素子７の第２電極１６に直交するように入射した光の一部も、有機ＥＬ素子７の光出射面１０上に拡散フィルム１８が配置されているため拡散フィルム１８の母体中に存在し、該母体とは屈折率の異なる微小なビーズによって光の向きが変わるため、この光も原稿３の読取対象部Ｒに到達することになる。従って、有機ＥＬ素子７から出射された多くの光が、第１反射部材８、第２反射部材９及び拡散フィルム１８により原稿３の読取対象部Ｒに集光され、読取対象部Ｒの照度が向上することになる。
【００４３】
原稿３の読取対象部Ｒに到達した光は、読取対象部Ｒで反射されてセンサ６に向かう。この時、読取対象部Ｒの状態、即ち、どのような色かによって反射する光が異なる。有機ＥＬ素子７は白色発光を行なうため、読取対象部Ｒで反射される光の状態は、自然光下で人間の目で認識される色の状態に近いものとなる。このように反射された光をセンサ６で受光し、受光した光の状態を電気信号に変換して、画像として読み込む。なお、図１において、破線の矢印方向は、有機ＥＬ素子７から出射された光が第１反射部材８及び／又は第２反射部材９で反射され、原稿３の読取対象部Ｒに進み、原稿３の読取対象部Ｒで反射し、センサ６に到達するまでの径路を模式的に示している。
【００４４】
このようにして原稿３の読取対象部Ｒに記載されている情報を読み取った後、センサ６と照明装置４とを一体的にガラス板２に沿って移動させ、原稿３の読取対象部Ｒを変える。このような読取動作を原稿３全体にわたって行なう（走査する）ことにより、原稿３に記載されている情報の全てを読み取る。
【００４５】
この実施の形態では以下の効果を有する。
（１）照明装置４は、一対の光源５を有する。光源５は、それぞれ有機ＥＬ素子７と、有機ＥＬ素子７の光出射面１０側に設けられた第１反射部材８と第２反射部材９とを有する。第１反射部材８と第２反射部材９は、それぞれ一辺が有機ＥＬ素子７の光出射面１０に沿って、かつ互いの反射面が対向するように配置されている。そして、第１反射部材８の一辺に対向する他辺と、有機ＥＬ素子７の光出射面１０を含む平面との最短距離が、第２反射部材９の一辺に対向する他辺と、有機ＥＬ素子７の光出射面１０を含む平面との最短距離よりも短い。そして、一対の光源５を構成する有機ＥＬ素子の光出射面１０を互いに対向している。この発明では、有機ＥＬ素子７から出射された光を第１反射部材８及び第２反射部材９により集光するため照明対象上での照度を高くすることができる。照明装置４をスキャナ１に用いた場合、同様の理由により照明対象である原稿３の読取対象部Ｒでの照度を高くすることができる。
【００４６】
また、有機ＥＬ素子７の光出射面１０に反射部材が設けられておらず、ガラス板２の原稿３を載置する側の面と有機ＥＬ素子７とが平行になるように配置されている場合と比べて原稿３の読取対象部Ｒにおける照度を高くすることができる。
（２）有機ＥＬ素子７は、線状に形成されており、第１反射部材８及び第２反射部材９は有機ＥＬ素子７の発光部Ｂである長手方向に沿って設けられている。従って、有機ＥＬ素子７から出射された光を効率的に原稿３の読取対象部Ｒに集光することができる。
（３）有機ＥＬ素子７の光出射面１０側に拡散フィルム１８が設けられている。従って、拡散フィルム１８がない場合には基板１３の外に取り出せない光を取り出すことができ、利用できる光量を増やすことができる。
（４）拡散フィルム１８は、有機ＥＬ素子７の基板１３の屈折率とほぼ等しい屈折率を有する母体に、これとは屈折率の異なるビーズを散在させて構成されている。従って、基板１３と拡散フィルム１８との界面での光の全反射を少なくすることができ、有機ＥＬ素子７の発光層１５で発せられた光を効率的に使用することができる。
（５）センサ６と照明装置４とを一体的にガラス板２に沿って走査する。従って、小型のセンサ６、照明装置４を用いても大きな原稿に記載された情報を読み取ることができる。
（６）有機ＥＬ素子７は白色発光するように形成されている。従って、自然光とほぼ同じ状態で原稿３の読取対象部Ｒを照明することができ、読取対象部Ｒで反射される光の状態を自然光下において、肉眼で認識される色の状態に近いものとすることができる。
（７）ＥＬ素子として有機ＥＬ素子７を用いている。従って、無機ＥＬ素子を用いた場合と比較して、消費電力を低くすることができる。
【実施例】
【００４７】
以下、本発明を、光線追跡シミュレーションを行なった結果を示す。
＜実施例＞
図４に示すように、有機ＥＬ素子を透明板であるガラス板の原稿を載置する側の面と、有機ＥＬ素子とが垂直になるように配置した。幅４．５ｍｍのセンサの両側に幅８ｍｍ、長手方向の長さ３２０ｍｍの発光部を有する有機ＥＬ素子を配置し、有機ＥＬ素子の光出射面からセンサの中央部までの距離が１４ｍｍである原稿読取装置において、センサの上方に位置し、有機ＥＬ素子の発光部の幅の中央部から上方１４ｍｍの位置にある読取対象部Ｒの照度を光線追跡シミュレーションにより計算した。
【００４８】
第１反射部材として、反射率９５％である板状反射鏡を使用した。第１反射部材の有機ＥＬ素子の光出射面を含む平面からの最短距離が５ｍｍであり、第１反射部材の有機ＥＬ素子の光出射面を含む平面へ射影した時の正射影像の長さが１ｍｍになるように第１反射部材を有機ＥＬ素子の光出射面側に配置した。
【００４９】
第２反射部材として、第１反射部材と同様の板状反射鏡を使用した。第２反射部材の有機ＥＬ素子の光出射面を含む平面からの最短距離が１１ｍｍであり、第２反射部材の有機ＥＬ素子の光出射面を含む平面へ射影した時の正射影像の長さが３ｍｍになるように第２反射部材を有機ＥＬ素子の光出射面側に配置した。また、有機ＥＬ素子の光出射面上には、有機ＥＬ素子の基板の屈折率とほぼ等しい屈折率を有する材料からなる母材中に、これらとは屈折率の異なる微小なビーズを散在させた拡散フィルムが設けられている。
＜比較例＞
比較のため図５に示すように、有機ＥＬ素子を透明板であるガラス板の原稿を載置する側の面と、有機ＥＬ素子とが平行になるように配置した。幅４．５ｍｍのセンサの両側に幅８ｍｍ、長手方向の長さ３２０ｍｍの発光部を有する有機ＥＬ素子を配置し、センサの上方に位置し、有機ＥＬ素子の光出射面から上方１４ｍｍの位置にある読取対象部Ｒの照度を光線追跡シミュレーションにより計算した。
【００５０】
実施例におけるシミュレーション結果は、比較例のシミュレーション結果の照度を１とした場合の相対照度として、１．２であった。従って、本願の照明装置を備えたスキャナにおいて、有機ＥＬ素子の光出射面上に反射部材を設けず、ガラス板の原稿を載置する側の面と有機ＥＬ素子とが平行になるように配置した場合と比較して、読取対象部Ｒでの照度を高くすることができることが確認された。
【００５１】
なお、実施形態は、上記に限定されるものではなく、例えば、以下のように変更してもよい。
○  実施形態では、有機ＥＬ素子７は基板１３の光出射面１０より光が出射されるボトムエミッションタイプに形成されているが、基板１３とは反対側から光が出射されるトップエミッションタイプでもよい。この場合、第２電極１６および保護部１７は透明にする必要がある。
○  実施形態では、照明装置４は、ガラス板２の原稿３を載置する側の面と、光源５を構成する有機ＥＬ素子７とが垂直になるように配置されていたが、これに限らず、ガラス板２の原稿３を載置する側の面と、光源５を構成する有機ＥＬ素子７とが垂直に配置されていなくてもよい。
○  第１反射部材８及び第２反射部材９の少なくとも一方は、有機ＥＬ素子７から出射される光を反射する反射面が湾曲形状であってもよい。図６に示すように、第２反射部材９の反射面が湾曲形状であってもよい。当然、第１反射部材８、又は、第１反射部材８及び第２反射部材９の反射面が湾曲形状であってもよい。
○  第１反射部材８及び第２反射部材９の反射面は、一部が正反射面であり、一部が湾曲形状であってもよい。
○  上記実施形態では、エレクトロルミネッセンス素子として有機ＥＬ素子７を使用していたが、無機ＥＬ素子を使用してもよい。
○  光源５が３つの有機ＥＬ素子から構成されていてもよい。即ち、有機ＥＬ素子７の光出射面１０上に、第１反射部材、第２反射部材の替わりに、有機ＥＬ素子７とは別の２つの有機ＥＬ素子を配置し、それぞれの前記別の２つの有機ＥＬ素子の金属電極が対向するように設けてもよい。この場合、前記別の２つの有機ＥＬ素子の金属電極がそれぞれ第１反射部材又は第２反射部材の役割を果たすことになる。当然、光源５が２つの有機ＥＬ素子及び第１反射部材又は第２反射部材から構成されていてもよい。即ち、第１反射部材、第２反射部材のどちらか一方の替わりに、有機ＥＬ素子７の光出射面１０上に、有機ＥＬ素子７とは別の有機ＥＬ素子を配置し、前記別の有機ＥＬ素子の金属電極と第１反射部材又は第２反射部材の反射面が対向するように設けてもよい。この場合、前記別の有機ＥＬ素子の金属電極が第１反射部材又は第２反射部材の役割を果たすことになる。これらの場合、光源５が１つの有機ＥＬ素子から構成されている場合と比べて、原稿３の読取対象部Ｒに到達する光量を多くすることができる。従って、原稿３の読取対象部Ｒでの照度を高くすることができる。
○  原稿読取装置をスキャナ１に用いたが、これに限らず、コピー機やファクシミリ等に用いてもよい。
○  照明装置４を原稿読取装置に用いているが、これに限らず、原稿読取装置用以外の照明装置として用いてもよい。
○  スキャナ１において、センサ６と照明装置４とを一体的に走査する必要はなく、例えば、センサ６をガラス板２に対して固定し、照明装置４のみを走査してもよい。この場合、原稿３からの反射光は別途光学系を用いてセンサ６に導けばよい。
【００５２】
なお、図１から図６において、図示の都合上、一部のハッチングを省略してある。
【図面の簡単な説明】
【００５３】
【図１】スキャナの模式図。
【図２】光源の模式平面図。
【図３】図２におけるＡ−Ａ線の模式断面図。
【図４】実施例におけるシミュレーションの条件を示すの模式図。
【図５】比較例におけるシミュレーションの条件を示すの模式図。
【図６】別例における照明装置の模式断面図。
【符号の説明】
【００５４】
１・・・原稿読取装置としてのスキャナ、２・・・透明板としてのガラス板、３・・・原稿、４・・・照明装置、５・・・光源、６・・・センサ、７・・・有機ＥＬ素子、８・・・第１反射部材、９・・・第２反射部材、１０・・・光出射面
【図１】
2007134288.tif 000003
【図２】
2007134288.tif 000004
【図３】
2007134288.tif 000005
【図４】
2007134288.tif 000006
【図５】
2007134288.tif 000007
【図６】
2007134288.tif 000008